(57)【要約】【課題】本発明は、通気性の良い防水ブーツを提供しようとする。【解決手段】上端が開口した筒状の胴部２０１と胴部２０１の下端に連結されている足部２０２とからなるシェル２０を有する防水ブーツ１０において、シェル２０全体は、また、防水性材料からなる第１の部分２２と非防水性の通気材料からなる第２の部分２３とに分けられ、第１の部分２２は、少なくとも１つの開孔を開け、第２の部分２３は、前記開孔を補填するように第１の部分２２と連結されており、また、シェル２０の内部には、防水性の通気材料からなるライニング４が、第２の部分２３を覆うように裏打ちされている。【選択図】　図２
2004024493.tif 000002
【特許請求の範囲】
【請求項１】
上端が開口した筒状の胴部と該胴部の下端に連結されている足部とからなるシェルを有する防水ブーツにおいて、
前記シェルは、防水性材料からなる第１の部分と非防水性の通気材料からなる第２の部分とに分けられ、
前記第１の部分は、少なくとも１つの開孔を有し、
前記第２の部分は、前記開孔を補填するように前記第１の部分と連結されており、
前記シェルの内部には、防水性の通気材料からなるライニングが、前記第２の部分を覆うように裏打ちされていることを特徴とする防水ブーツ。
【請求項２】
前記第２の部分は、前記胴部の範囲内だけに延伸していることを特徴とする請求項１に記載の防水ブーツ。
【請求項３】
前記第２の部分は、上下方向に沿って前記胴部の上開口縁から前記足部までに延伸していることを特徴とする請求項１に記載の防水ブーツ。
【請求項４】
前記第２の部分は、縫い合わせにより前記第１の部分及び前記ライニングと連結されており、且つ、前記縫い合わせによる縫い目は防水性シール手段により密封されていることを特徴とする請求項１に記載の防水ブーツ。
【請求項５】
前記防水性材料として伸縮性のあるネオプレンゴムを使用したことを特徴とする請求項１に記載の防水ブーツ。
【請求項６】
前記第１の部分の前記胴部にある部分は伸縮性のあるネオプレンゴムからなり、前記第１の部分の前記足部にある部分は前記ネオプレンゴム以外の防水性材料からなることを特徴とする請求項１に記載の防水ブーツ。
【請求項７】
前記シェルは、前記胴部の左右両面にそれぞれ前記第２の部分を有することを特徴とする請求項１に記載の防水ブーツ。
【請求項８】
前記第２の部分は、前記胴部の前記上開口縁を離れたところから下へ延伸していることを特徴とする請求項１に記載の防水ブーツ。
【請求項９】
前記防水性シール手段として防水テープを使用したことを特徴とする請求項４に記載の防水ブーツ。
【請求項１０】
前記防水テープは、前記縫い目を遮蔽しながら密封した後、引続いて前記足部の内底面までに延伸したことを特徴とする請求項９に記載の防水ブーツ。
【請求項１１】
前記防水性シール手段として防水性グルーを使用したことを特徴とする請求項４に記載の防水ブーツ。
【請求項１２】
前記シェル内の前記胴部の前記開口縁から前記足部の内底面までに、ほぼ円筒形の通気性内張り体が延伸して裏打ちされていることを特徴とする請求項１〜１１のいずれかに記載の防水ブーツ。
【発明の詳細な説明】
【０００１】
【発明の属する技術分野】
本発明は防水ブーツに関し、特に、通気性の良好な防水ブーツに関する。
【０００２】
【従来の技術】
防水ブーツは例えばネオプレンゴムなどの伸縮性が良い防水材料からなり、作業用や雨天時の外出などに使用されるものである。図１に示すように、従来の防水ブーツ１は、ネオプレンゴムからなるので、足とのフィット感がよく、且つ、作業中にしゃがんでいる姿勢で作業することもできるが、ネオプレンゴムなどの空気を遮断する材料からなるため、ブーツ内の空気の循環が阻害され、蒸れて足に不快感を生ずるという欠点がある。
【０００３】
【発明の課題】
上記に鑑み、本発明は、通気性の良い防水ブーツを提供することを目的とする。
【０００４】
【課題を解決するための手段】
上記目的を達成するために、本発明は、上端が開口した筒状の胴部と該胴部の下端に連結されている足部とからなるシェルを有する防水ブーツにおいて、前記シェルは、防水性材料からなる第１の部分と非防水性の通気材料からなる第２の部分とに分けられ、前記第１の部分は、少なくとも１つの開孔を有し、前記第２の部分は、前記開孔を補填するように前記第１の部分と連結されており、前記シェルの内部には、防水性の通気材料からなるライニングが、前記第２の部分を覆うように裏打ちされていることを特徴とする防水ブーツを提供する。
【０００５】
このように構成されている本発明の防水ブーツは、前記シェルの開孔を補填している第２の部分が非防水性の通気材料からなり、且つ、前記第２の部分をシェル内から覆っているライニングが防水性の通気材料からなるので、ブーツ内に空気の循環がよく、足に通気をよくすることができるのみならず、水もシェル内に入れず、防水ブーツの防水機能を維持することができる。
【０００６】
【発明の実施例】
以下、図面を参照しながら、本発明の好ましい実施形態について説明する。図２に示す第１実施形態の防水ブーツ１０は、上端が開口した筒状の胴部２０１と該胴部の下端に連結されている足部２０２とからなるシェル２０と、足部２０２に連結されているソール１１とを有する。また、シェル２０全体は、また、防水性材料からなる第１の部分２２と非防水性の通気材料からなる第２の部分２３とに分けられている。第１の部分２２は、胴部２０１の左右両面にそれぞれ１つの開孔（図示せず）を有し、これら２つの開孔を補填するように第２の部分２３が第１の部分２２と縫い合わせられて、シェル２０を形成している。
【０００７】
また、第１の部分２２は、伸縮性のあるネオプレンゴム（「ネオプレン」は米デュポン社の商標）を使用して製作したが、これに限らず、他の伸縮性の防水材料を使用してもよい。また、第２の部分２３は皮革を使用して製作したが、これに限らず、織物などの非防水性の通気材料を使用してもよい。
【０００８】
そして第２の部分２３は、上下方向に沿って胴部２０１の上開口縁２１から足部２０２までに延伸している。
【０００９】
また、シェル２０の内部には、防水性の通気材料からなるライニング４が、第２の部分２３を覆うように裏打ちされている。この実施例において、ライニング４はゴアテックス（登録商標）を使用して製作したが、これに限らず、他の防水性の通気材料を使用しても良い。そして、第２の部分２３のライニング４と第１の部分２２とに縫い合わせられている処に複数の縫い目４０が形成されている。本実施例においては、図３及び図４に示すように、防水性シール手段として防水テープ５１を使用し、縫い目４０を遮蔽しながら密封しているが、これに限らず、防水テープ５１の代わりに縫い目に防水性グルー（膠：にかわ）を塗布してもよい。また、防水テープ５１は、図５に示す変形例のように、縫い目４０を遮蔽しながら密封した後、引続いて足部２０２の内底面までに延伸してもよい。
【００１０】
また、前記実施例と前記変形例とも、シェル２０内の胴部２０１の上開口縁２１から足部２０２の内底面までに、ほぼ円筒形の通気性内張り体６が延伸して裏打ちされている。
【００１１】
このように、防水ブーツ１０を履く時、第１の部分２２はネオプレンゴムからなるので、履脱が容易になっているのみならず、第２の部分２３及びライニング４が通気性のあるものからなるので、ブーツ内に空気の循環がよく、足に通気をよくすることができる。
次に、本発明の第２実施形態について説明する。図６に示すように、第２実施形態における防水ブーツ１０ａは、上記第１実施形態と同様に、上端が開口した筒状の胴部２０１ａと該胴部２０１ａの下端に連結されている足部２０２ａとからなるシェル２０ａを有する。シェル２０ａ全体は、また、防水性材料からなる第１の部分２２ａと非防水性の通気材料からなる第２の部分２３ａとに分けられている。そして、第１の部分２２ａの胴部２０１ａにある部分は伸縮性のあるネオプレンゴムからなり、第１の部分２２ａの足部２０２ａにある部分は防水処理を施した皮革からなる。
【００１２】
この第２実施形態における第２の部分２３ａの、前記第１の実施例と異なる点は、第２の部分２３ａは、胴部２０１ａの上開口縁２１ａを離れたところから足部２０２ａの頂端までに延伸している点である。そして、胴部２０１ａの前部にある第１の部分２２ａは、踝部２５を通して甲部に延伸し、胴部２０１ａの後部にある第１の部分２２ａは踝部２５までに延伸しているので、第２の部分２３ａは踝部２５までに延伸しても、第１の部分２２ａは伸縮性のあるネオプレンゴムからなるため、履脱が容易になる。
【００１３】
そして、前記第１の実施例とほぼ同様に、防水のために、シェル２０ａの内部には、防水性の通気材料からなるライニング（図示せず）が、第２の部分２３ａを覆うように裏打ちされている。
【００１４】
【発明の効果】
上記のように、本発明に係る防水ブーツは、前記シェルの開孔を補填している第２の部分が非防水性の通気材料からなり、且つ、前記第２の部分をシェル内から覆っているライニングが防水性の通気材料からなるので、ブーツ内に空気の循環がよく、足に通気をよくすることができるのみならず、水もシェル内に入れず、防水ブーツの防水機能を維持することができる。
【図面の簡単な説明】
【図１】従来の防水ブーツを示す側面図である。
【図２】本発明に係る防水ブーツの第１実施形態を示す側面図である。
【図３】図２の防水ブーツを示す断面図である。
【図４】図２のＡ−Ａ線に沿う断面図である。
【図５】第１実施形態における防水テープが足部の内底面までに延伸した変形例を示す断面図である。
【図６】本発明の防水ブーツの第２の実施例を示す側面図
【符号の説明】
１，１０，１０ａ．．．防水ブーツ
２０，２０ａ．．．シェル
２０１，２０１ａ．．．胴部
２０２，２０２ａ．．．足部
２１，２１ａ．．．上開口縁
２２，２２ａ．．．第１の部分
２３，２３ａ．．．第２の部分
４．．．ライニング
４０．．．縫い目
５１．．．防水テープ
６．．．通気性内張り体
【図１】
2004024493.tif 000003
【図２】
2004024493.tif 000004
【図３】
2004024493.tif 000005
【図４】
2004024493.tif 000006
【図５】
2004024493.tif 000007
【図６】
2004024493.tif 000008